(57)【要約】【目的】  有機物を殺菌しながら急速に乾燥することのできる乾燥機があるとよい。【解決手段】  有機物用の乾燥機１が、有機物の投入口２２及び排出口扉１５を有する撹拌槽２と、撹拌槽２内に概ね水平に延在し、軸回転可能に構成されたシャフトであって、該シャフトの周縁から外方へ１つ又は複数の撹拌羽根３が延在している、シャフトと、撹拌槽２の少なくとも底部を取り囲むように配置され、過熱水蒸気発生源と流体的に連通した流路を有するジャケット体２３と、ジャケット体２３と、乾燥機１の上部に設けられた排気口１６と、を備え、撹拌槽２内の底部へ過熱水蒸気を噴射させることができるように撹拌槽内まで貫通した複数の吹出し孔が形成されていることを特徴とする。さらには、回転する撹拌羽根３の先端と撹拌槽２の底部内面との間にほぼ一定のクリアランスを有するように撹拌槽２の底部内面が湾曲していることを特徴とする。【選択図】図２
2019086161.tif 000002
【特許請求の範囲】
【請求項１】
有機物用の乾燥機において、
有機物の投入口及び排出口を有する撹拌槽と、
上記撹拌槽内に概ね水平に延在し、軸回転可能に構成されたシャフトであって、該シャフトの周縁から外方へ１つ又は複数の撹拌羽根が延在している、シャフトと、
上記撹拌槽の少なくとも底部を取り囲むように配置され、過熱水蒸気発生源と流体的に連通した流路を有するジャケット体と、
該乾燥機の上部に設けられた排気口と、
を備え、
上記撹拌槽内の底部へ過熱水蒸気を噴射させることができるように、上記ジャケット体の流路から上記撹拌槽内まで貫通した複数の吹出し孔が形成されていることを特徴とする、有機物用の乾燥機。
【請求項２】
上記シャフト及び上記撹拌羽根のうちの少なくとも一方から上記撹拌槽内へ熱風を噴射させることができるように、上記シャフト内に熱風発生源と流体的に連通した軸内導管が延びており、この軸内導管と流体的に連通した１つ又は複数の噴射孔が上記シャフト及び上記撹拌羽根のうちの少なくとも一方に形成されている、請求項１に記載の有機物用の乾燥機。
【請求項３】
上記シャフト及び上記撹拌羽根のうちの少なくとも一方から上記撹拌槽内へ過熱水蒸気を噴射させることができるように、上記シャフト内に過熱水蒸気発生源と流体的に連通した軸内導管が延びており、この軸内導管と流体的に連通した１つ又は複数の噴射孔が上記シャフト及び上記撹拌羽根のうちの少なくとも一方に形成されている、請求項１に記載の有機物用の乾燥機。
【請求項４】
有機物用の乾燥機において、
有機物の投入口及び排出口を有する撹拌槽と、
上記撹拌槽内に概ね水平に延在し、軸回転可能に構成されたシャフトであって、該シャフトの周縁から外方へ１つ又は複数の撹拌羽根が延在している、シャフトと、
上記撹拌槽の少なくとも底部を取り囲むように配置され、熱風発生源と流体的に連通した流路を有するジャケット体と、
該乾燥機の上部に設けられた排気口と、
を備え、
上記撹拌槽内の底部へ熱風を噴射させることができるように、上記ジャケット体の流路から上記撹拌槽内まで貫通した複数の吹出し孔が形成されていることを特徴とする、有機物用の乾燥機。
【請求項５】
上記シャフト及び上記撹拌羽根のうちの少なくとも一方から上記撹拌槽内へ過熱水蒸気を噴射させることができるように、上記シャフト内に過熱水蒸気発生源と流体的に連通した軸内導管が延びており、この軸内導管と流体的に連通した複数の孔が上記シャフト及び上記撹拌羽根のうちの少なくとも一方に形成されている、請求項４に記載の有機物用の乾燥機。
【発明の詳細な説明】
【技術分野】
【０００１】
本発明は、果菜類やキノコ類などの有機物を短時間で乾燥させることのできる乾燥機に関し、詳しくは、乾燥用流体として過熱水蒸気や熱風を使用する有機物用の乾燥機に関する。
【背景技術】
【０００２】
果菜類やキノコ類などの有機物を長く保存するためには乾燥させるとよい。特には、舞茸や椎茸などのキノコ類を乾燥させることが一般に行われている。また、芋や南瓜などの野菜類や、柿やバナナなどの果物類を乾燥させたものが食品として市販されている。
【０００３】
特許文献１は、撹拌装置および乾燥装置に関し、高温の蒸気や空気等の乾燥用流体を容器内の撹拌手段から噴射しつつ同容器内に投入した被処理物となる被乾燥物を乾燥及び殺菌することにより、被乾燥物を効率よく乾燥及び殺菌できることを教示している。
【０００４】
特許文献２は、生ごみ処理装置に関し、生ごみを破砕脱水する破砕脱水装置と、破砕脱水された生ごみを乾燥する乾燥機と、乾燥機内に回転可能に設けられた撹拌装置と、乾燥用送風管と、乾燥機から排出される空気を燃焼するバーナーと、バーナーで加熱された空気を使って乾燥用送風管内の空気を加熱するための熱交換器と、排出空気の熱を回収する熱回収手段と、を備える生ごみ処理装置について開示している。しかし、特許文献２は、被乾燥物の下方から過熱水蒸気を噴射して有機物等を乾燥させることについては教示していない。特許文献２に係る発明は、乾燥容器の周縁に熱風通路を有するが、高温空気は、乾燥容器内で生ごみと接触することにより断熱冷却され、生ごみが加熱され水分活性が低下すると共に乾燥機の出口空気温度がゆっくりと上昇するものであり（特許文献２の明細書の段落０００９〜００１２を参照）、被乾燥物の温度を瞬時に高めるものではない。
【０００５】
また、有機物に含まれる微生物等を殺菌するために、種々の技法が実施されている。例えば、高圧蒸気滅菌法は、適切な温度及び圧力の飽和水蒸気を使って微生物等を死滅させる方法である。この方法の利点は、急速な加熱を可能としつつ、被滅菌物の深部にまで熱を素早く浸透させ、すべての微生物を比較的短時間で確実に死滅させることができる点にある。高圧蒸気滅菌法は、撹拌槽内の空気と飽和水蒸気とを完全に置換させることが重要であり、被滅菌物すべてに飽和水蒸気が達することが必要である。
【先行技術文献】
【特許文献】
【０００６】
【特許文献１】特開２００９−２８６５０号公報
【特許文献２】特開平６−５５１５８号公報
【発明の概要】
【発明が解決しようとする課題】
【０００７】
有機物等を殺菌しながら急速に乾燥させることのできる乾燥機が必要とされている。しかし、殺菌作用の強い高温の蒸気や高温の空気は、通常の空気よりも軽くて直ぐに上昇してしまう性質があるため、乾燥用流体としての取扱いが難しいという問題があった。
【課題を解決するための手段】
【０００８】
本発明の一実施例においては、有機物用の乾燥機において、有機物の投入口及び排出口を有する撹拌槽と、撹拌槽内に概ね水平に延在し、軸回転可能に構成されたシャフトであって、該シャフトの周縁から外方へ１つ又は複数の撹拌羽根が延在している、シャフトと、撹拌槽の少なくとも底部を取り囲むように配置され、過熱水蒸気発生源と流体的に連通した流路を有するジャケット体と、該乾燥機の上部に設けられた排気口と、を備え、撹拌槽内の底部へ過熱水蒸気を噴射させることができるように、ジャケット体の流路から撹拌槽内まで貫通した複数の吹出し孔が形成されていることを特徴とする、有機物用の乾燥機を提示する。
【０００９】
さらには、回転する撹拌羽根の先端と撹拌槽の底部内面との間にほぼ一定のクリアランスを有するように撹拌槽の底部内面が湾曲しているとよい。
【００１０】
さらなる実施例においては、シャフト及び撹拌羽根のうちの少なくとも一方から撹拌槽内へ熱風を噴射させることができるように、シャフト内に熱風発生源と流体的に連通した軸内導管が延びており、この軸内導管と流体的に連通した１つ又は複数の噴射孔がシャフト及び撹拌羽根のうちの少なくとも一方に形成されている。
【００１１】
さらなる実施例においては、シャフト及び撹拌羽根のうちの少なくとも一方から撹拌槽内へ過熱水蒸気を噴射させることができるように、シャフト内に過熱水蒸気発生源と流体的に連通した軸内導管が延びており、この軸内導管と流体的に連通した１つ又は複数の噴射孔がシャフト及び撹拌羽根のうちの少なくとも一方に形成されている。
【００１２】
本発明の他の実施例においては、有機物用の乾燥機において、有機物の投入口及び排出口を有する撹拌槽と、撹拌槽内に概ね水平に延在し、軸回転可能に構成されたシャフトであって、該シャフトの周縁から外方へ１つ又は複数の撹拌羽根が延在している、シャフトと、撹拌槽の少なくとも底部を取り囲むように配置され、熱風発生源と流体的に連通した流路を有するジャケット体と、該乾燥機の上部に設けられた排気口と、を備え、撹拌槽内の底部へ熱風を噴射させることができるように、ジャケット体の流路から撹拌槽内まで貫通した複数の吹出し孔が形成されていることを特徴とする、有機物用の乾燥機を提示する。
【００１３】
さらには、回転する撹拌羽根の先端と撹拌槽の底部内面との間にほぼ一定のクリアランスを有するように撹拌槽の底部内面が湾曲しているとよい。
【００１４】
さらなる実施例においては、シャフト及び撹拌羽根のうちの少なくとも一方から撹拌槽内へ過熱水蒸気を噴射させることができるように、シャフト内に過熱水蒸気発生源と流体的に連通した軸内導管が延びており、この軸内導管と流体的に連通した複数の孔がシャフト及び撹拌羽根のうちの少なくとも一方に形成されている。
【図面の簡単な説明】
【００１５】
【図１】過熱水蒸気発生装置等と接続された乾燥機を示す図。
【図２】本発明の乾燥機の一部を透視して詳細に示す図。
【図３】図２に示した矢印Ｐ方向の視線で見た乾燥機を示す図。
【図４】図２に示した矢印Ｑ方向の視線で見た乾燥機を示す図。
【図５】シャフトと撹拌羽根の一例を示す図。
【図６】被乾燥物が撹拌室内で転動している様子を示す図。
【図７】複数の吹出し孔が形成されるべき位置を示す図。
【図８】撹拌室の形状を概略的に示す図。
【図９】複数の吹出し孔が形成されるべき位置を示す図。
【図１０】複数の吹出し孔が形成されるべき位置を示す撹拌槽又はジャケット体の展開図。
【発明を実施するための形態】
【００１６】
本発明の乾燥機について、添付の図を参照しつつ詳細に説明する。
【００１７】
図１は、過熱水蒸気発生装置に接続されているときの本発明の乾燥機１を示している。乾燥機１の乾燥用流体として過熱水蒸気が使用される場合には、例えば、約０．２ＭＰａの圧力を有する過熱水蒸気が使用され得る。また、使用される過熱水蒸気の温度は、乾燥させる有機物の種類や量に応じて適切な温度に設定される。
【００１８】
他の実施例においては、乾燥機１は、過熱水蒸気発生装置の代わりに、熱風発生装置に接続される場合もある。或いは、切換え弁を使って過熱水蒸気と熱風とを切り換えることができるように構成されている場合もある。乾燥機１の乾燥用流体として熱風が使用される場合にも、例えば、約０．２ＭＰａの高圧の熱風が使用され得る。また、使用される熱風の温度は、乾燥させる有機物の種類や量に応じて適切な温度に設定される。
【００１９】
図１に示されるように、乾燥機１は、横長の撹拌槽２を備える。撹拌槽２は、耐熱性の合成樹脂や金属から形成されているとよい。撹拌槽２内に、軸回転可能に構成されたシャフトが概ね水平に延在し、このシャフトの周縁から外方へ１つ又は複数の撹拌羽根３（図１においては模式的に描かれている）が延在している。撹拌羽根３を回転させることにより、撹拌室２内の被乾燥物が撹拌される。シャフトと撹拌羽根３とは、別々の部材から形成されている場合もあれば、１つの部材として一体的に形成されている場合もある。また、乾燥機１の天部の位置に、撹拌槽２内へ被乾燥物を投入するための投入口２２が設けられている。撹拌槽２へ投入する被乾燥物の体積は、撹拌槽の容積の約６０％を目安として、撹拌槽２へ被乾燥物を詰め込み過ぎないように注意するべきである。
【００２０】
図１にさらに示されるように、撹拌槽２の少なくとも底部を取り囲むように、過熱水蒸気発生源と流体的に連通している流路を有するジャケット体２３が配置されている。一実施例においては、撹拌槽２の底部の壁と、ジャケット体２３の上部の壁とが同一の壁からなる。つまり、撹拌槽２とジャケット体２３を分断する壁を両者が共有している場合もある。そして、撹拌槽２内の底部へ過熱水蒸気（又は熱風）を噴射させることができるように、ジャケット体２３の流路から撹拌槽２内まで貫通した複数の吹出し孔１０（図１０等を参照）が形成されている。また、乾燥機１の側面に、乾燥済みの有機物を取り出すための排出口扉１５が設けられている。他の実施例の乾燥機１においては、有機物の排出口が、有機物の投入口を兼ねることもある。
【００２１】
乾燥用流体として過熱水蒸気を使用することにより、撹拌槽２内の有機物（被乾燥物）の温度を瞬時に高めることができる。このとき、有機物から発生する水分は気化して過熱水蒸気とともに上昇して、乾燥機１の上部に設けられた排気口１６から放出される。一実施例においては、必要に応じて撹拌槽２内を密閉空間とすることができるように、排気口１６に開閉弁（図示せず）が設けられている場合もある。一実施例においては、排気口１６に換気用ファンが取り付けられている場合もある。
【００２２】
図２は、本発明の乾燥機１の一部を透視して詳細に示す図であり、撹拌槽２の少なくとも底部を取り囲むように、ジャケット体２３が配置されている。さらに、ジャケット体２３を取り囲むように断熱材２４が配置されている。また、過熱水蒸気発生源と流体的に連通した流路がジャケット体２３に形成されており、吹込み口１７から流入した過熱水蒸気をジャケット体２３の流路に通流させることができるように構成されている。本発明の様々な実施例において、ジャケット体２３の流路は、蛇行した流路として形成されている場合もあれば、ジャケット体２３内全体が流路として空洞に形成されている場合もある。ジャケット体２３の流路を通流する過熱水蒸気の流れを加速させるために、流路の１箇所または複数の箇所に、絞り（断面積の小さい隘路）が形成されている場合もある。
【００２３】
撹拌槽２内の有機物は、撹拌羽根３によって撹拌されつつ、ジャケット体２３から吹出し孔１０を通して噴射される高圧の過熱水蒸気を受けて乾燥されるため、有機物の芯まで均一に熱が伝わり、有機物に含まれる余剰の湿気が効率よく放出され得る。なお、乾燥運転の開始直後において、撹拌槽２内の有機物が冷えきっている場合には、これに噴射される過熱水蒸気が冷やされて有機物の表面に結露することがある。しかし大抵は、すぐに撹拌槽２内の有機物の温度が１００℃以上に達して水分が蒸発し始めて、有機物の芯まで乾燥させることができる。
【００２４】
一実施例においては、撹拌槽内の温度測定用の温度計２６が示す温度に応じて、吹き出し孔１０から噴射させる過熱水蒸気の温度を変化させるように構成された制御装置（図示せず）を備える場合もある。本発明のさらなる実施例においては、ジャケット体の温度測定用の温度計２７が示す温度に応じて、吹き出し孔１０から噴射させる過熱水蒸気の流量を変化させるように構成された制御装置（図示せず）を備える場合もある。
【００２５】
図３は、図２において矢印Ｐで示した視線（Ｐ視）方向に見たときの乾燥機１を示す。図４は、図２において矢印Ｑで示した視線（Ｑ視）方向に見たときの乾燥機１を示す。
【００２６】
図５は、撹拌室２内で軸回転可能に構成されたシャフトと複数の撹拌羽根３の一例を示している。撹拌羽根３は、図５に示されているように、シャフトを中心とする螺旋階段の形状を形成するように所定の間隔をあけて配置された複数の羽根からなる場合もあれば、螺旋形状に形成された単数の羽根からなる場合もある。一実施例においては、１つ又は複数の撹拌羽根３は、シャフトの周縁から約６０ｃｍの長さだけ外方へ延びている。他の実施例においては、１つ又は複数の撹拌羽根３の長さは、６０ｃｍより長い場合もあれば、短い場合もある。シャフトから複数の撹拌羽根３が延在する実施例においては、複数の撹拌羽根３は、例えば、約３０ｃｍの間隔をあけて配置されている。他の実施例においては、複数の撹拌羽根３は、他の適切な間隔をあけて配置されている。
【００２７】
図５に示されるように、一実施例においては、撹拌羽根３の各々がＴ字形の断面形状を有するように形成されている。他の実施例においては、撹拌羽根３の各々が長方形の断面形状を有するように形成されている場合もあれば、長円形の断面形状を有するように形成されている場合もある。
【００２８】
図６は、撹拌槽２内で転動している有機物（被乾燥物）１１を模式的に黒丸で示している。また、複数の吹出し孔から撹拌槽２内へ噴射されている過熱水蒸気を複数の矢印で示している。図６に示されるように、回転する撹拌羽根３の先端と、撹拌槽２の底部内面との間のクリアランス（隙間）が小さくなるように撹拌槽２の底部内面が湾曲していることにより、撹拌槽２内の有機物１１を撹拌羽根３で充分に撹拌することができる。
【００２９】
図６に示される一実施例においては、矢印Ａで示される方向に撹拌羽根３が回転しているため（回転している撹拌羽根３の先端が円を描いている）、撹拌槽２内で転動している有機物１１は、撹拌槽２内の左寄りに多く集められている。一実施例においては、撹拌槽２内の有機物１１を充分に撹拌するために、矢印Ａの回転方向に所定の時間だけ回転させた後に、矢印Ａとは反対の回転方向に撹拌羽根３を回転させる場合もある。乾燥済みの有機物１１を排出させる際には、排出口扉１５を開くだけで、遠心力を受けている有機物１１が勢いよく排出される。排出口扉１５は、電動式に開閉するように構成されている場合もあれば、手動で開閉するように構成されている場合もある。ただし、排出口扉１５は、図６に示されている位置とは異なる位置に配置される場合もある。
【００３０】
図７及び図９は、図８と関連して、ジャケット体２３から撹拌槽２内まで延びる複数の吹出し孔１０が形成されるべき位置を示す。図７及び図９に示される一実施例においては、複数の直交する線の交点の位置に吹出し孔１０が形成される。複数の吹出し孔１０は、穿孔によって形成される場合もあれば、穿孔以外の技法を用いて形成される場合もある。さらに他の実施例の乾燥機１においては、撹拌槽２の底部以外の箇所へも過熱水蒸気を噴射させることができるように、ジャケット体２３から撹拌槽２内まで延びる複数の吹出し孔１０が、撹拌槽２の底部よりも高い位置まで形成される場合もある。
【００３１】
また、図８に示されるように、回転する撹拌羽根３の先端と撹拌槽２の底部内面との間にほぼ一定のクリアランス（隙間）を有するように撹拌槽２の底部内面が湾曲しているとよい。一実施例においては、回転する撹拌羽根３の先端と、撹拌槽２の底部内面とのクリアランスが数ｃｍ程度の狭さとなるように構成されている。狭いクリアランスを有することにより、小さな被乾燥物１１であっても充分に撹拌することが可能となる。
【００３２】
図１０は撹拌槽２又はジャケット体２３の展開図であり、ジャケット体２３から撹拌槽２内まで貫通する複数の噴射孔４が形成されるべき位置の一例を示している。図１０においては、複数の直交する線の交点の位置に、約２ｍｍの直径を有する５２５個の吹出し孔１０が等間隔に形成されている。他の実施例においては、撹拌槽２の湾曲した底部において高い位置ほど吹出し孔１０の数が密に形成される場合もあれば、低い位置ほど吹出し孔１０の数が密に形成される場合もある。さらに他の実施例においては、他の適切な直径を有する吹出し孔１０が、他の適切な数だけ形成される場合もある。
【００３３】
本発明の乾燥機１の使用について説明すると、先ず撹拌槽２内へ投入された有機物（被乾燥物）が、撹拌羽根３で撹拌されることにより、転動する。そして、転動している被乾燥物へ向けて、ジャケット体２３から撹拌槽２の底部まで貫通するように形成された複数の吹き出し孔１０を通して高圧（例えば、０．１ＭＰａ以上）の過熱水蒸気を噴射させることにより、被乾燥物が少し浮き上がりながら乾燥される。転動している被乾燥物が少し浮き上がることにより、被乾燥物の隅々まで均一に乾燥され易くなる。
【００３４】
一実施例においては、吹出し孔１０から撹拌槽２内の底部へ過熱水蒸気を噴射させるだけでなく、シャフト及び撹拌羽根３のうちの少なくとも一方に形成された噴射孔４から熱風を噴射させることができるように構成されている。この構成を有する乾燥機１においては、シャフト及び撹拌羽根３のうちの少なくとも一方から熱風を噴射させて、被乾燥物を撹拌しながら温めることにより、その後に吹出し孔１０から撹拌槽２内の底部へ過熱水蒸気を噴射させたときに被乾燥物と接触しても結露してしまうことがない。
【００３５】
他の実施例においては、吹出し孔１０から撹拌槽２内の底部へ過熱水蒸気を噴射させるだけでなく、シャフト及び撹拌羽根３のうちの少なくとも一方に形成された噴射孔４からも撹拌槽２内へ過熱水蒸気を噴射させることができるように構成されている。この実施例においては、撹拌槽２内の被乾燥物の隅々まで過熱水蒸気を噴射させて殺菌処理をすることができる。
【００３６】
他の実施例においては、過熱水蒸気の代わりに、吹出し孔１０から撹拌槽２内の底部へ熱風を噴射させることができるように構成されている。乾燥用流体として使用される熱風は、例えば、０．１ＭＰａ以上の高圧の熱風であるとよい。他の実施例においては、各々の吹出し孔１０の周縁部が湾曲していることにより、吹出し孔１０から噴射される乾燥用流体にコアンダ効果（流体が凸状の曲面に沿って流れる効果）が生じて、撹拌槽２内の湾曲した底部内面に沿って流れる。これにより、撹拌槽２内の被乾燥物を浮かせながら乾燥させることができるので、乾燥が完了するまでに要する時間が短縮される。
【００３７】
さらに他の実施例においては、吹出し孔１０から撹拌槽２内の底部へ熱風を噴射させるだけでなく、シャフト及び撹拌羽根３のうちの少なくとも一方に形成された複数の噴射孔４から撹拌槽２内へ過熱水蒸気を噴射させることができるように構成されている。撹拌槽２の底部の吹出し孔１０から吹き出す熱風によって被乾燥物が温められているため、シャフトや撹拌羽根３から噴射される過熱水蒸気が被乾燥物に接触しても結露することがなく、乾燥機１の上部にある排気口１６から排気される。このように、本発明の乾燥機１のいくつかの実施例においては、過熱水蒸気と熱風を組み合わせて使うことにより、撹拌槽２内で過熱水蒸気が全く結露しないまま排気されるという効果を奏する。  
【００３８】
以上のように、本発明の乾燥機１は、撹拌槽２内で転動している被乾燥物に対して、撹拌室２の底部に形成された吹出し孔１０から過熱水蒸気や熱風を噴射させることにより、被乾燥物を少し浮かせて被乾燥物の芯まで熱を通し、被乾燥物に含まれる微生物や細菌を死滅させつつ乾燥させることができる。特には、過熱水蒸気を乾燥用流体として使用する場合、悪臭発生の原因ともなるトリメチルアミン等を分解する効果もある。
【００３９】
また、本発明の乾燥機１は、乾燥用流体として過熱水蒸気や熱風を使用するため不活性ガス等が発生しないので、排気処理をする必要がない。よって、本発明の乾燥機１は、長時間に亘って稼動させても環境に与える負荷が小さいという利点もある。
【符号の説明】
【００４０】
１…乾燥機
２…撹拌槽
３…撹拌羽根
４…噴射孔
５…主軸駆動ギヤード・モーター
６…モーター固定ネジ
７…スプロケット（Ｉ）
８…スプロケット（ＩＩ）
９…チェーン
１０…吹出し孔
１１…有機物（被乾燥物）
１２…排出口扉開閉モーター
１３…リミットスイッチ
１４…連結ネジ
１５…排出口扉
１６…排気口
１７…（乾燥用流体の）吹込み口
１８…バルブ
１９…軸受け
２０…軸受け止めネジ
２１…清掃用水吹込み口
２２…（被乾燥物の）投入口
２３…ジャケット体
２４…断熱材
２５…排水口
２６…撹拌槽内の温度測定用の温度計
２７…ジャケット体の温度測定用の温度計
【図１】
2019086161.tif 000003
【図２】
2019086161.tif 000004
【図３】
2019086161.tif 000005
【図４】
2019086161.tif 000006
【図５】
2019086161.tif 000007
【図６】
2019086161.tif 000008
【図７】
2019086161.tif 000009
【図８】
2019086161.tif 000010
【図９】
2019086161.tif 000011
【図１０】
2019086161.tif 000012
【手続補正書】
【提出日】平成30年12月10日(2018.12.10)
【手続補正１】
【補正対象書類名】特許請求の範囲
【補正対象項目名】全文
【補正方法】変更
【補正の内容】
【特許請求の範囲】
【請求項１】
有機物用の乾燥機において、
有機物の投入口及び排出口を有する撹拌槽と、
上記撹拌槽内に概ね水平に延在し、軸回転可能に構成されたシャフトであって、該シャフトの周縁から外方へ１つ又は複数の撹拌羽根が延在している、シャフトと、
上記撹拌槽の少なくとも底部を取り囲むように配置され、過熱水蒸気発生源と流体的に連通した流路を有するジャケット体と、
該乾燥機の上部に設けられた排気口と、
を備え、
上記撹拌槽内の底部へ過熱水蒸気を噴射させることができるように、上記ジャケット体の流路から上記撹拌槽内まで貫通した複数の吹出し孔が上記ジャケット体に形成されており、さらには、
上記複数の吹出し孔の各々の周縁部が凸状の曲面を有するように湾曲していることを特徴とする、有機物用の乾燥機。
【請求項２】
上記シャフト及び上記撹拌羽根のうちの少なくとも一方から上記撹拌槽内へ熱風を噴射させることができるように、上記シャフト内に熱風発生源と流体的に連通した軸内導管が延びており、この軸内導管と流体的に連通した１つ又は複数の噴射孔が上記シャフト及び上記撹拌羽根のうちの少なくとも一方に形成されている、請求項１に記載の有機物用の乾燥機。
【請求項３】
上記シャフト及び上記撹拌羽根のうちの少なくとも一方から上記撹拌槽内へ過熱水蒸気を噴射させることができるように、上記シャフト内に過熱水蒸気発生源と流体的に連通した軸内導管が延びており、この軸内導管と流体的に連通した１つ又は複数の噴射孔が上記シャフト及び上記撹拌羽根のうちの少なくとも一方に形成されている、請求項１に記載の有機物用の乾燥機。
【請求項４】
有機物用の乾燥機において、
有機物の投入口及び排出口を有する撹拌槽と、
上記撹拌槽内に概ね水平に延在し、軸回転可能に構成されたシャフトであって、該シャフトの周縁から外方へ１つ又は複数の撹拌羽根が延在している、シャフトと、
上記撹拌槽の少なくとも底部を取り囲むように配置され、熱風発生源と流体的に連通した流路を有するジャケット体と、
該乾燥機の上部に設けられた排気口と、
を備え、
上記撹拌槽内の底部へ熱風を噴射させることができるように、上記ジャケット体の流路から上記撹拌槽内まで貫通した複数の吹出し孔が上記ジャケット体に形成されており、さらには、
上記複数の吹出し孔の各々の周縁部が凸状の曲面を有するように湾曲していることを特徴とする、有機物用の乾燥機。
【請求項５】
上記シャフト及び上記撹拌羽根のうちの少なくとも一方から上記撹拌槽内へ過熱水蒸気を噴射させることができるように、上記シャフト内に過熱水蒸気発生源と流体的に連通した軸内導管が延びており、この軸内導管と流体的に連通した複数の孔が上記シャフト及び上記撹拌羽根のうちの少なくとも一方に形成されている、請求項４に記載の有機物用の乾燥機。
【手続補正２】
【補正対象書類名】明細書
【補正対象項目名】００３６
【補正方法】変更
【補正の内容】
【００３６】
他の実施例においては、過熱水蒸気の代わりに、吹出し孔１０から撹拌槽２内の底部へ熱風を噴射させることができるように構成されている。乾燥用流体として使用される熱風は、例えば、０．１ＭＰａ以上の高圧の熱風であるとよい。他の実施例においては、各々の吹出し孔１０の周縁部が凸状の曲面を有するように湾曲していることにより、吹出し孔１０から噴射される乾燥用流体にコアンダ効果（流体が凸状の曲面に沿って流れる効果）が生じて、撹拌槽２内の湾曲した底部内面に沿って流れる。これにより、撹拌槽２内の被乾燥物を浮かせながら乾燥させることができるので、乾燥が完了するまでに要する時間が短縮される。
【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
有機物用の乾燥機において、
有機物の投入口及び排出口を有する撹拌槽と、
上記撹拌槽内に概ね水平に延在し、軸回転可能に構成されたシャフトであって、該シャフトの周縁から外方へ１つ又は複数の撹拌羽根が延在している、シャフトと、
上記撹拌槽の少なくとも湾曲した底部を取り囲むように配置され、過熱水蒸気発生源と流体的に連通した流路を有するジャケット体と、
該乾燥機の上部に設けられた排気口と、
を備え、
上記撹拌槽内の底部へ過熱水蒸気を噴射させることができるように、上記ジャケット体の流路から上記撹拌槽内まで貫通した複数の吹出し孔が上記ジャケット体に形成されており、さらには、
上記吹出し孔から噴射される過熱水蒸気にコアンダ効果が生じて上記撹拌槽内の湾曲した底部内面に沿って該過熱水蒸気が流れ得るように、上記複数の吹出し孔の各々の周縁部が凸状に湾曲していることを特徴とする、有機物用の乾燥機。
【請求項２】
上記シャフト及び上記撹拌羽根のうちの少なくとも一方から上記撹拌槽内へ熱風を噴射させることができるように、上記シャフト内に熱風発生源と流体的に連通した軸内導管が延びており、この軸内導管と流体的に連通した１つ又は複数の噴射孔が上記シャフト及び上記撹拌羽根のうちの少なくとも一方に形成されている、請求項１に記載の有機物用の乾燥機。
【請求項３】
上記シャフト及び上記撹拌羽根のうちの少なくとも一方から上記撹拌槽内へ過熱水蒸気を噴射させることができるように、上記シャフト内に過熱水蒸気発生源と流体的に連通した軸内導管が延びており、この軸内導管と流体的に連通した１つ又は複数の噴射孔が上記シャフト及び上記撹拌羽根のうちの少なくとも一方に形成されている、請求項１に記載の有機物用の乾燥機。
【請求項４】
有機物用の乾燥機において、
有機物の投入口及び排出口を有する撹拌槽と、
上記撹拌槽内に概ね水平に延在し、軸回転可能に構成されたシャフトであって、該シャフトの周縁から外方へ１つ又は複数の撹拌羽根が延在している、シャフトと、
上記撹拌槽の少なくとも湾曲した底部を取り囲むように配置され、熱風発生源と流体的に連通した流路を有するジャケット体と、
該乾燥機の上部に設けられた排気口と、
を備え、
上記撹拌槽内の底部へ熱風を噴射させることができるように、上記ジャケット体の流路から上記撹拌槽内まで貫通した複数の吹出し孔が上記ジャケット体に形成されており、さらには、
上記吹出し孔から噴射される熱風にコアンダ効果が生じて上記撹拌槽内の湾曲した底部内面に沿って該熱風が流れ得るように、上記複数の吹出し孔の各々の周縁部が凸状に湾曲していることを特徴とする、有機物用の乾燥機。
【請求項５】
上記シャフト及び上記撹拌羽根のうちの少なくとも一方から上記撹拌槽内へ過熱水蒸気を噴射させることができるように、上記シャフト内に過熱水蒸気発生源と流体的に連通した軸内導管が延びており、この軸内導管と流体的に連通した複数の孔が上記シャフト及び上記撹拌羽根のうちの少なくとも一方に形成されている、請求項４に記載の有機物用の乾燥機。
【手続補正２】
【補正対象書類名】明細書
【補正対象項目名】００３６
【補正方法】変更
【補正の内容】
【００３６】
他の実施例においては、過熱水蒸気の代わりに、吹出し孔１０から撹拌槽２内の底部へ熱風を噴射させることができるように構成されている。乾燥用流体として使用される熱風は、例えば、０．１ＭＰａ以上の高圧の熱風であるとよい。他の実施例においては、各々の吹出し孔１０の周縁部が湾曲していることにより、吹出し孔１０から噴射される乾燥用流体にコアンダ効果（流体が凸状の曲面に沿って流れる効果）が生じて、撹拌槽２内の湾曲した底部内面に沿って流れる。これにより、撹拌槽２内の被乾燥物を浮かせながら乾燥させることができるので、乾燥が完了するまでに要する時間が短縮される。